(57)【要約】      （修正有）【課題】バックライトモジュールおよび表示装置を提供する。【解決手段】ハウジング１０の裏板１１に導光板２０を配置するとともに、導光板の前方に少なくとも１つの光学フィルム４０を配置し、導光板の外側にライトバー３０を配置しており、ライトバーは、固定具５０によりハウジングの側壁１２に固定され、固定具は、導光板の光出射面２１の前方に位置するストッパープレート５１とストッパープレートからライトバーと導光板との間に延在し、ライトバーの発光ダイオード素子３１の高さよりも大きい高さのブロックとを含む。固定具でライトバーを固定する方式により、ライトバーのメンテナンスや調整が可能となり、ライトバーの再加工性を向上させることができ、かつ固定具のブロックおよび導光板に与えるストッパープレートのそれぞれの位置制限効果を利用し、導光板が変位や反り過ぎないようにすることで、ライトバーの保護やバックライトモジュール１の光漏れ等の問題の回避という効果を奏する。【選択図】図１
0003223877.tif 000002
【実用新案登録請求の範囲】
【請求項１】
裏板と、前記裏板の周縁に設けられ前方に突出する側壁とを含むハウジングと、
前記裏板の前方に装着され、前後両側にそれぞれ位置する光出射面および反射面と、光出射面の側辺に位置する光入射側面とを含む導光板と、
前記導光板の光入射側面の外側に配置され、光出射方向が前記導光板の光入射側面に向けられた複数の発光ダイオード素子を有するライトバーと、
前記導光板の光出射面の前方に配置された少なくとも１つの光学フィルムと、
前記ハウジング内に配置され、前記ライトバーを前記側壁に固定する固定具と、を備え、
前記固定具は、前記導光板の光出射面の前方に位置するストッパープレート、およびブロックを含み、前記ブロックは、前記ストッパープレートから前記ライトバーと前記導光板の光入射側面との間に延在し、前記ブロックの高さは、前記発光ダイオード素子の高さよりも大きいことを特徴とするバックライトモジュール。
【請求項２】
前記ライトバーは、前記複数の発光ダイオード素子が分布された回路基板を含み、前記固定具は、少なくとも１つの固定部を含み、前記固定部は、前記ライトバーの回路基板を通して前記側壁に固定されていることを特徴とする請求項１に記載のバックライトモジュール。
【請求項３】
前記固定部は、プラグであることを特徴とする請求項２に記載のバックライトモジュール。
【請求項４】
前記固定部は、ネジであることを特徴とする請求項２に記載のバックライトモジュール。
【請求項５】
前記固定部は、リベットであることを特徴とする請求項２に記載のバックライトモジュール。
【請求項６】
前記固定具のストッパープレートは、白色の部材であることを特徴とする請求項１乃至５のいずれか１項に記載のバックライトモジュール。
【請求項７】
前記固定具のストッパープレートと前記光学フィルムシートとの間に隙間が形成されていることを特徴とする請求項１乃至６のいずれか１項に記載のバックライトモジュール。
【請求項８】
請求項１乃至７のいずれか１項に記載のバックライトモジュールと、
前記バックライトモジュールの前側に配置されたディスプレイパネルとを備えることを特徴とする表示装置。
【考案の詳細な説明】
【技術分野】
【０００１】
本考案は、バックライトを提供するバックライトモジュールおよび当該バックライトモジュールを備えた表示装置に関する。
【背景技術】
【０００２】
従来の表示装置は、主にバックライトモジュールを用いてディスプレイパネルにバックライトを提供する。従来の表示装置のバックライトモジュールは、その光入射方式によって直下型およびエッジライトに区分されている。このうち、エッジライトバックライトモジュールは、複数の発光ダイオード素子を有するライトバーに導光板や光学フィルムなどを組み合わせることにより、ディスプレイパネルに必要なバックライトを提供する。
【０００３】
図５に示すように、従来のエッジライトバックライトモジュールの製造フローでは、エッジライトバックライトモジュールのハウジング７０の側壁７１にライトバー８０を配置する前に、ライトバー８０の裏面に接着剤８１を貼り付けた後、ライトバー８０を側壁７１に貼り付ける。しかし、ライトバー８０をバックライトモジュールのハウジング７０に貼り付けて固定した後は、ライトバー８０の位置を再調整、変更することが困難であるため、再加工が困難であるという問題があった。また、従来のエッジライトバックライトモジュールは、導光板９０のストッパー構造が設けられていないため、導光板９０が変位してライトバー８０に衝突する可能性があり、更にライトバー８０上の発光ダイオード素子が損傷してしまう等の問題があった。
【考案の概要】
【考案が解決しようとする課題】
【０００４】
本考案の主な目的は、従来のエッジライトバックライトモジュールの再加工性の悪さや、導光板の変位によるライトバーへの衝突によって生じるライトバー上の発光ダイオード素子の損傷等の問題を改善するバックライトモジュールおよび表示装置を提供することである。
【課題を解決するための手段】
【０００５】
上記の目的を達成するために、本考案に係るバックライトモジュールは、裏板と、当該裏板の周縁に設けられ前方に突出する側壁とを含むハウジングと、当該裏板の前方に装着され、前後両側にそれぞれ位置する光出射面および反射面と、光出射面の側辺に位置する光入射側面とを含む導光板と、当該導光板の光入射側面の外側に配置され、光出射方向が当該導光板の光入射側面に向けられた複数の発光ダイオード素子を有するライトバーと、当該導光板の光出射面の前方に配置された少なくとも１つの光学フィルムと、当該ハウジング内に配置され、当該ライトバーを当該側壁に固定する固定具とを備え、当該固定具は、当該導光板の光出射面の前方に位置するストッパープレートおよびブロックを含み、当該ブロックは、当該ストッパープレートから当該ライトバーと当該導光板の光入射側面との間に延在し、当該ブロックの高さは、当該発光ダイオード素子の高さよりも大きい。
【０００６】
上記のバックライトモジュールにおいて、当該ライトバーは、当該複数の発光ダイオード素子が分布された回路基板を含み、当該固定具は、少なくとも１つの固定部を含み、当該固定部は、当該ライトバーの回路基板を通して当該側壁に固定されている。
【０００７】
上記のバックライトモジュールにおいて、当該固定部はプラグである。
上記のバックライトモジュールにおいて、当該固定部はネジである。
上記のバックライトモジュールにおいて、当該固定部はリベットである。
上記のバックライトモジュールにおいて、当該固定具のストッパープレートは、白色の部材である。
上記のバックライトモジュールにおいて、当該固定具のストッパープレートと光学フィルムとの間に隙間が形成されている。
【０００８】
上記の目的を達成するために、本考案に係る表示装置は、上記のバックライトモジュールと、当該バックライトモジュールの前側に配置されたディスプレイパネルとを備える。
本考案のバックライトモジュールおよび表示装置は、以下の利点を有する。
１）再加工性の向上：本考案は、主に固定具を用いてライトバーをハウジングの側壁に固定し、ライトバーのメンテナンスや調整が必要な場合には、固定具を先に取り外してから、ライトバーの交換や調整を行うことができるため、再加工性を効果的に向上させることができる。
２）導光板の位置制限効果およびライトバーの保護効果を提供する：本考案は、主に固定具のブロックをライトバーと導光板の光入射側面との間に入り込ませることにより、導光板の位置制限効果を提供し、導光板がライトバーに向けて簡単に変位してライトバー上の発光ダイオードに接触しないようにすることで、ライトバーの保護効果を提供する。
３）熱による導光板の反り過ぎの回避：本考案は、固定具のストッパープレートによって導光板の位置制限効果を提供し、導光板が使用中に温度上昇により反り変形するとき、ストッパープレートは導光板を位置制限して導光板を平坦な状態に保ち、導光板の反り過ぎによる光漏れ等の問題を回避する。
【図面の簡単な説明】
【０００９】
【図１】図１は、本考案のバックライトモジュールの第１の好ましい実施例の模式図である。
【図２】図２は、本考案のバックライトモジュールの第２の好ましい実施例の模式図である。
【図３】図３は、本考案のバックライトモジュールの第３の好ましい実施例の模式図である。
【図４】図４は、本考案の表示装置の好ましい実施例の模式図である。
【図５】図５は、公知のバックライトモジュールの模式図である。
【考案を実施するための形態】
【００１０】
図１〜図３を参照すると、本考案のバックライトモジュール１のいくつかの好ましい実施例であり、ハウジング１０と、導光板２０と、ライトバー３０と、少なくとも１つの光学フィルム４０と、固定具５０とを備える。
【００１１】
図１〜図３に示すように、ハウジング１０は、裏板１１と、裏板１１の周縁に設けられ前方に突出する側壁１２とを備える。
図１〜図３に示すように、導光板２０は裏板１１の前方に装着されており、導光板２０は、光出射面２１と、反射面２２と、光入射側面２３とを備えており、光出射面２１と反射面２２は、それぞれ導光板２０の前後両側に位置しており、光入射側面２３は、導光板２０の光出射面２１の側辺に位置している。
【００１２】
図１〜図３に示すように、導光板２０の光入射側面２３の外側には、複数の発光ダイオード素子３１を有するライトバー３０が配置されており、複数の発光ダイオード素子３１の光出射方向は、導光板２０の光入射側面２３に向けられている。
図１〜図３に示すように、光学フィルム４０は、導光板２０の光出射面２１の前方に配置されている。
【００１３】
図１〜図３に示すように、固定具５０は、ハウジング１０内に配置され、ライトバー３０を側壁１２に固定する。固定具５０は、導光板２０の光出射面２１の前方に位置するストッパープレート５１と、ストッパープレート５１からライトバー３０と導光板２０の光入射側面２３との間まで延びており、且つ発光ダイオード素子３１の高さｈ１よりも大きい高さｈ２を有するブロック５２とを備える。また、固定具５０のストッパープレート５１は白色の部材である。なお、固定具５０のストッパープレート５１と光学フィルム４０との間には隙間が形成されている。
【００１４】
ライトバー３０は、図１〜図３に示すように、複数の発光ダイオード素子３１が分布された回路基板３２を含み、固定具５０は、少なくとも１つの固定部５３ａ、５３ｂ、５３ｃを含み、固定部５３ａ、５３ｂ、５３ｃは、ライトバー３０の回路基板３２を通して側壁１２に固定されている。
【００１５】
図１に示すように、本考案のバックライトモジュール１の第１の好ましい実施例では、固定部５３ａは、プラグである。図２に示すように、本考案のバックライトモジュール１の第２の好ましい実施例では、固定部５３ｂはネジである。図３に示すように、本考案のバックライトモジュール１の第３の好ましい実施例では、固定部５３ｃは、リベットである。
【００１６】
図１に示すように、本考案のバックライトモジュール１の第１の好ましい実施例を例とすると、バックライトモジュール１を組み立てる際に、固定具５０の固定部５３ａをライトバー３０の回路基板３２に通してハウジング１０の側壁１２に固定すると、固定具５０のブロック５２がライトバー３０の回路基板３２に押し付けられ、且つ固定具５０の固定部５３ａがハウジング１０の外側に当接し、ライトバー３０はハウジング１０の側壁１２の内側にしっかりと固定される。ライトバー３０を固定具５０で固定し、ライトバー３０のメンテナンスや調整が必要な場合には、固定具５０を先に取り外してから、ライトバー３０の交換や調整を行うことができるため、再加工性を効果的に向上させることができる。
【００１７】
また、固定具５０のブロック５２は、ライトバー３０と導光板２０の光入射側面２３との間に入り込んでおり、ブロック５２の高さｈ２は、発光ダイオード素子３１の高さｈ１よりも大きいため、ブロック５２は、導光板２０の位置制限効果を提供するとともに、導光板２０が変位によってライトバー３０の発光ダイオード素子３１に衝突しないように、ライトバー３０を保護することができ、ライトバー３０の発光ダイオード素子３１が衝撃により損傷するという問題を回避することができる。
【００１８】
導光板２０は、使用中に温度上昇により徐々に反り変形する可能性があるが、固定具５０のストッパープレート５１は、導光板２０が変形するときに位置制限効果を発揮し、導光板２０を平坦な状態に保ち、バックライトモジュール１の反り過ぎによる光漏れ等の問題を回避することができる。なお、固定具５０のストッパープレート５１を白色の部材とすることで、光反射効果を与えることができ、ライトバー３０が光出射する時の光エネルギー利用率をさらに向上させることができる。
【００１９】
また、図４を参照すると、本考案の表示装置であり、当該表示装置は、上述のバックライトモジュール１と、バックライトモジュール１の前側に配置されたディスプレイパネル２とを備えている。
【００２０】
上記のように、本考案のバックライトモジュール１は、主に固定具５０を用いてライトバー３０を固定することにより、ライトバー３０のメンテナンスや調整が可能となり、ライトバー３０の再加工性を効果的に向上させることができる。また、固定具５０は、固定具５０のブロック５２の位置制限作用により導光板２０がライトバー３０の発光ダイオード素子３１に衝突しないように、導光板２０の位置制限効果を得ることができ、これにより、ライトバー３０を保護する効果が得られるとともに、固定具５０のストッパープレート５１が導光板２０を位置制限して、導光板２０を平坦な状態に保つことができ、バックライトモジュール１の反り過ぎによる光漏れ等の問題を回避することができる。
【００２１】
上記は、本考案の好ましい実施例が開示されているにすぎず、本考案を何ら限定するものではない。以上の好ましい実施例は本考案について上記のように開示しているが、本考案を限定するものではなく、当業者であれば、本考案の技術的内容から逸脱しない範囲内で、上記に開示された技術内容を用いてなされたいくつかの変更または修正は、同等の変形の同等実施例である。本考案の技術的手段から逸脱していない内容、および本考案の技術的内容に基づいて上記の好ましい実施例に対して実質的になされたいかなる簡単な修正、同等の変更および修正は、依然として本考案の技術的内容の範囲に属する。
【符号の説明】
【００２２】
１…バックライトモジュール
２…ディスプレイパネル
１０…ハウジング
１１…裏板
１２…側壁
２０…導光板
２１…光出射面
２２…反射面
２３…光入射側面
３０…ライトバー
３１…発光ダイオード素子
３２…回路基板
４０…光学フィルム
５０…固定具
５１…ストッパープレート
５２…ブロック
５３ａ、５３ｂ、５３ｃ…固定部
７０…ハウジング
７１…側壁
８０…ライトバー
８１…接着剤
９０…導光板
ｈ１…発光ダイオード素子の高さ
ｈ２…ブロックの高さ。 
【図１】
0003223877.tif 000003
【図２】
0003223877.tif 000004
【図３】
0003223877.tif 000005
【図４】
0003223877.tif 000006
【図５】
0003223877.tif 000007